(57)【要約】  ロック装置において、ロータ部材２４は、ベース部材２２に回動可能に軸支され、取付座面１２ｆに形成される開口部１２ｃより裏側に突出してロック部材に連結し、操作部材２０の操作に応じて駆動する。ベース部材２２の第１ロケート部は、開口部１２ｃの縁部１２ｇに当接または近接される。第２ロケート部５６は、開閉部材１２に形成されたロケート孔１２ｄに挿入される。第１ロケート部は、第２ロケート部５６よりも裏側に突出する。
2015122447.tif 000002
【特許請求の範囲】
【請求項１】
開閉部材に取り付けられ、ロック部材により前記開閉部材をロック状態に保持可能なロック装置であって、
前記開閉部材の取付座面に固定されるベース部材と、
前記ベース部材に回動可能に軸支され、前記取付座面に形成される開口部より裏側に突出して前記ロック部材に連結し、操作部材の操作に応じてロック部材を駆動する駆動部材と、を備え、
前記ベース部材は、
前記開口部の縁部に当接または近接される第１ロケート部と、
前記開閉部材に形成されたロケート孔に挿入される第２ロケート部と、を有し、
前記第１ロケート部は、前記第２ロケート部よりも裏側に突出することを特徴とするロック装置。
【請求項２】
前記第２ロケート部は、一対のロケートピンであって、
前記第１ロケート部は、一対の前記ロケートピンの間に形成されることを特徴とすることを特徴とする請求項１に記載のロック装置。
【請求項３】
前記第１ロケート部は、前記開口部に挿入され、
前記第１ロケート部の前記開口部の縁部に対するクリアランスは、前記第２ロケート部の前記ロケート孔に対するクリアランスより大きいことを特徴とする請求項１または２に記載のロック装置。
【請求項４】
前記第１ロケート部は、前記駆動部材の周りに形成されることを特徴とする請求項１から３のいずれかに記載のロック装置。
【請求項５】
前記第１ロケート部は、互いに対向する一対の対向壁部を有することを特徴とする請求項１から４のいずれかに記載のロック装置。
【請求項６】
前記第１ロケート部は、前記一対の対向壁部を連結する連結壁部を有することを特徴とする請求項５に記載のロック装置。
【請求項７】
前記ベース部材は、前記取付座面に係止する係止爪部を有することを特徴とする請求項１から６のいずれかに記載のロック装置。
【請求項８】
開閉部材に取り付けられ、ロック部材により前記開閉部材をロック状態に保持可能なロック装置であって、
前記開閉部材の取付座面に固定されるベース部材と、
前記ベース部材に回動可能に軸支され、前記取付座面に形成される開口部より裏側に突出して前記ロック部材に連結し、操作部材の操作に応じて前記ロック部材を駆動する駆動部材と、を備え、
前記ベース部材は、前記駆動部材の周りに形成されて、前記開口部の縁部に当接または近接されるロケート部を有することを特徴とするロック装置。
【請求項９】
取付位置を定める第１ロケート部および第２ロケート部が形成されたロック装置を、第１開口部および第２開口部が形成された開閉部材に取り付けるロック装置の取付方法であって、
前記第１ロケート部を前記第１開口部に挿入して、前記第２ロケート部と前記第２開口部の相対的なずれ幅を制限するステップと、
前記第１ロケート部の前記第１開口部への挿入後、前記第２ロケート部を前記第２開口部に挿入して該ロック装置の取付位置を定めるステップと、
前記開閉部材に該ロック装置を固定するステップと、を含むことを特徴とするロック装置の取付方法。
【発明の詳細な説明】
【技術分野】
【０００１】
本発明は、開閉部材に取り付けられるロック装置およびその取付方法に関する。
【背景技術】
【０００２】
車両のグローブボックスの開口を開閉する開閉部材には、開閉部材を閉状態に保持するためのロック装置が取り付けられる。ユーザはロック装置の操作部材を操作することでロックを解除してグローブボックスを開く。【０００３】
たとえば特許文献１には、収納ボックスの開口を開閉するドアパネルに取り付けるサイドロック装置が開示される。このサイドロック装置は位置決めピンを有し、取付時にドアパネルに形成された位置決め孔に位置決めピンを挿通することで位置決めされる。サイドロック装置は、位置決めされた後、スクリューによりドアパネルに固定される。
【先行技術文献】
【特許文献】
【０００４】
【特許文献１】特開２０１２−２４６７２７号公報
【発明の概要】
【発明が解決しようとする課題】
【０００５】
特許文献１に記載の技術において、ロック装置１０をドアパネルに取り付ける際、作業者は、ドアパネルの位置決め孔を探し、サイドロック装置の位置決めピンを位置決め孔の位置を合わせて、挿入する作業を行う。この位置決めピンを位置決め孔に挿入する作業は煩瑣であり、時間がかかるおそれがある。【０００６】
本発明はこのような課題に鑑みてなされたものであり、その目的は、取付作業を容易にできるロック装置を提供することにある。
【課題を解決するための手段】
【０００７】
上記課題を解決するために、本発明のある態様は、開閉部材に取り付けられ、ロック部材により開閉部材をロック状態に保持可能なロック装置であって、開閉部材の取付座面に固定されるベース部材と、ベース部材に回動可能に軸支され、取付座面に形成される開口部より裏側に突出してロック部材に連結し、操作部材の操作に応じて駆動する駆動部材と、を備える。ベース部材は、開口部の縁部に当接または近接される第１ロケート部と、開閉部材に形成されたロケート孔に挿入される第２ロケート部と、を有する。第１ロケート部は、第２ロケート部よりも裏側に突出する。【０００８】
本発明の別の態様もまた、開閉部材に取り付けられ、ロック部材により開閉部材をロック状態に保持可能なロック装置である。開閉部材の取付座面に固定されるベース部材と、ベース部材に回動可能に軸支され、取付座面に形成される開口部より裏側に突出してロック部材に連結し、操作部材の操作に応じてロック部材を駆動する駆動部材と、を備える。ベース部材は、駆動部材の周りに形成されて、開口部の縁部に当接または近接されるロケート部を有する。【０００９】
本発明のさらに別の態様は、ロック装置の取付方法である。この方法は、取付位置を定める第１ロケート部および第２ロケート部が形成されたロック装置を、第１開口部および第２開口部が形成された開閉部材に取り付けるロック装置の取付方法であって、第１ロケート部を第１開口部に挿入して、第２ロケート部と第２開口部の相対的なずれ幅を制限するステップと、第１ロケート部の第１開口部への挿入後、第２ロケート部を第２開口部に挿入して該ロック装置の取付位置を定めるステップと、開閉部材に該ロック装置を固定するステップと、を含む。
【発明の効果】
【００１０】
本発明によれば、ロック装置の取付作業を容易にできる。
【図面の簡単な説明】
【００１１】
【図１】実施形態のロック装置を取り付けた開閉部材を説明するための図である。
【図２】実施形態のロック装置を開閉部材に取り付ける途中の状態を示す斜視図である。
【図３】開閉部材について説明するための図である。
【図４】操作部材を説明するための図である。
【図５】ベース部材を説明するための図である。
【図６】ロータ部材について説明するための図である。
【図７】駆動部材の斜視図である。
【図８】開閉部材に取り付ける前のロック装置のサブアッシーユニットについて説明するための図である。
【図９】開閉部材に取り付けた状態のロック装置を説明するための図である。
【図１０】サブアッシーユニットの開閉部材への取付方法を説明するための図である。
【図１１】第１変形例のロック装置について説明するための図である。
【図１２】第２変形例のロック装置について説明するための図である。
【図１３】第３変形例のロック装置について説明するための図である。
【発明を実施するための形態】
【００１２】
図１は、実施形態のロック装置１０を取り付けた開閉部材１２を説明するための図である。図１（ａ）は、開閉部材１２の表側からみた斜視図であり、図１（ｂ）は、開閉部材１２の裏側からみた斜視図である。また、図２は、実施形態のロック装置１０を開閉部材に取り付ける途中の状態を示す斜視図であり、ロック部材の取り付け前の状態を示す。開閉部材１２は、実際には２枚の板状部材を貼り合わせて、その内部にロック装置１０を収容するように設けられるが、図１（ｂ）はロック装置１０を覆う開閉部材１２の裏側の板状部材を省いて図示している。
【００１３】
開閉部材１２は、たとえば車両のグローブボックス用の蓋部材である。グローブボックス（不図示）はダッシュボードに設けられた収納空間である凹所を有する固定部材である。開閉部材１２は、固定部材に回動可能に支持され、凹所の開口を開閉する。
【００１４】
開閉部材１２には、ロック装置１０を取り付けるための取付構造が取付口１２ａの奥に形成される。開閉部材１２に取り付けられたロック装置１０は、固定部材に対して開閉部材１２をロック状態にして閉状態に保持する。
【００１５】
図１（ｂ）に示すように、ロック装置１０は、操作部材２０、ベース部材２２、駆動部材２５、第１ロック部材２６ａおよび第２ロック部材２６ｂを備える。図１（ａ）に示すように取付口１２ａから操作部材２０が表側に露出する。ユーザは窪み部１２ｂから操作部材２０の裏側へ指を挿入し、操作部材２０を引くことでロック解除をする。
【００１６】
ユーザの操作力は、操作部材２０から駆動部材２５に、駆動部材２５から第１ロック部材２６ａおよび第２ロック部材２６ｂ（これらを区別しない場合、「ロック部材２６」という）へと伝達される。
【００１７】
図１（ｂ）および図２に示すようにベース部材２２は、一対のネジ部材２８により開閉部材１２に固定される。駆動部材２５は、ベース部材２２に回動可能に支持され、ロック部材２６に連結する。図１（ｂ）においてロッド状のロック部材２６は、その一部が切断された形で示される。ロック部材２６は、駆動部材２５の回動に連動して幅方向に移動する。
【００１８】
ユーザが操作部材２０を操作すると駆動部材２５が回動し、ロック部材２６は駆動部材２５の回動に応じて、固定部材であるグローブボックスに形成された係合孔部（不図示）に出入りする。ロック部材２６がグローブボックスの係合孔部に入ると開閉部材１２がロック状態となり、ロック部材２６がその係合孔部から出ると開閉部材１２が非ロック状態となる。
【００１９】
図３は、開閉部材１２について説明するための図である。図３（ａ）は開閉部材１２の表側からみた斜視図であり、図３（ｂ）は開閉部材１２の裏側からみた斜視図である。ここで各図面に示される同一または同等の構成要素、部材には、同一の符号を付するものとし、適宜重複した説明は省略する。なお、図３（ａ）および（ｂ）では２枚の板状部材を貼り合わせて形成される開閉部材１２のうち表側の板状部材を示す。
【００２０】
開閉部材１２は、取付口１２ａ、窪み部１２ｂ、開口部１２ｃ、ロケート孔１２ｄ、ネジ孔１２ｅ、取付座面１２ｆおよび縁部１２ｇを有する。図３（ａ）に示すようにロック装置１０を取り付けるための取付構造が取付口１２ａの奥に形成される。
【００２１】
窪み部１２ｂは、取付口１２ａの下端から上方に延設された湾曲面を有し、ユーザが指を挿入するガイドとして形成される。窪み部１２ｂの上端側に、幅方向に離間する一対の取付座面１２ｆと、その間に位置する開口部１２ｃが形成される。
【００２２】
図３（ａ）に示す取付座面１２ｆの表面にロック装置１０が取り付けられる。ロック装置１０の取付座面１２ｆへの取り付けは、取付座面１２ｆに形成されたロケート孔１２ｄおよびネジ孔１２ｅを利用して行われる。一対のロケート孔１２ｄおよび一対のネジ孔１２ｅは幅方向に離間して形成され、一対のロケート孔１２ｄの間隔は、一対のネジ孔１２ｅの間隔より小さい。
【００２３】
開口部１２ｃは、表側の操作部材２０への操作を、取付座面１２ｆより裏側のロック部材２６に伝達するために貫通して形成される。開口部１２ｃの縁部１２ｇは、開口部１２ｃを画成し、対向する一対の取付座面１２ｆの側縁を構成する。
【００２４】
このように、開閉部材１２に、ロック装置１０を取り付けるための構造が形成される。ロック装置１０の各部材についてさらに図面を参照して詳細に説明する。
【００２５】
図４は、操作部材２０を説明するための図である。図４（ａ）は操作部材２０の裏面図であり、図４（ｂ）は操作部材２０の裏側からみた斜視図である。なお、操作部材２０の表側は、図１（ａ）に示しており、開閉部材１２の取付口１２ａにて露出される。
【００２６】
操作部材２０は板状に形成され、回動軸孔３８、操作面４０および伝達部４２を有する。回動軸孔３８は、操作部材２０の一対の側面にそれぞれ形成される。操作面４０は、操作部材２０の裏面の下側に位置し、ユーザの操作時に指が掛けられる。
【００２７】
伝達部４２は、操作部材２０の裏面に立設し、駆動部材２５に当接してユーザの回動操作を駆動部材２５に伝達する。回動軸孔３８をベース部材２２に連結することで、操作部材２０はベース部材２２に回動可能に支持される。操作部材２０が回動すると、伝達部４２が上下に移動して駆動部材２５を回動させる。
【００２８】
図５は、ベース部材２２を説明するための図である。図５（ａ）はベース部材２２の裏面図であり、図５（ｂ）はベース部材２２の表面図であり、図５（ｃ）はベース部材２２を裏側からみた斜視図である。
【００２９】
ベース部材２２の本体部４４は幅方向に延在する台座面５１を有する。本体部４４の両側面から回動支持部４６が幅方向に突出するように形成される。回動支持部４６は操作部材２０の回動軸孔３８に挿入されて、操作部材２０を回動可能に支持する。駆動用軸受部４８は、台座面５１の中央に形成され、駆動部材２５を回動可能に支持する。
【００３０】
ロータ支持壁５０は、台座面５１から立設し、駆動用軸受部４８を中心として円筒状に形成され、駆動部材２５を収容する。ロータ支持壁５０の内側には、駆動用軸受部４８の他に連通部５４、バネ受部６２および回転規制部６４が形成される。
【００３１】
連通部５４は、ロータ支持壁５０内の台座面５１を貫通するように形成される。連通部５４は、操作部材２０の伝達部４２と駆動部材２５のロータ部材２４とを当接するための連通孔である。
【００３２】
バネ受部６２は、ロータ支持壁５０内の台座面５１に突状に形成され、駆動部材２５を構成するバネ部材の巻端部に当接する。回転規制部６４は、ロータ支持壁５０内の台座面５１に突出するように形成され、駆動部材２５の回転を規制するように形成される。
【００３３】
第１ロケート部５２は、ロータ支持壁５０の周りに、ロータ支持壁５０を囲む壁部として、台座面５１に立設するように形成される。第１ロケート部５２はロータ支持壁５０の外周側の近傍に形成される。図５（ｃ）に示すように第１ロケート部５２は、ベース部材２２において最も突出して形成される。
【００３４】
第１ロケート部５２は、開閉部材１２の開口部１２ｃに挿入され、開口部１２ｃの縁部１２ｇに当接または近接される。第１ロケート部５２は、駆動部材２５およびロータ支持壁５０の周りに形成されて、ロック装置１０を開閉部材１２に取り付ける際にロータ支持壁５０と開閉部材１２の開口部１２ｃの縁部１２ｇとの接触を防ぐための役割を持つ。また、第１ロケート部５２は、ベース部材２２を開閉部材１２に取り付ける際に、第２ロケート部５６のロケート孔１２ｄへの挿入を容易にするガイドとして機能する。
【００３５】
第１ロケート部５２は、ベース部材２２の幅方向に対向する一対の対向壁部５２ａと、一対の対向壁部５２ａを連結する連結壁部５２ｂとを含む。第１ロケート部５２の内壁とロータ支持壁５０の外壁とは複数箇所で連結されて剛性が高められている。
【００３６】
一対の係止爪部６０は、第１ロケート部５２の対向壁部５２ａの幅方向外側に突出するように形成される。ベース部材２２を開閉部材１２に取り付ける際、係止爪部６０が、開閉部材１２の取付座面１２ｆに係止することで、ネジ部材２８によりロック装置１０を固定するまでの仮止めとなる。
【００３７】
一対の第２ロケート部５６は、台座面５１から突出し、同じ形状の棒状体として形成される。第２ロケート部５６は、開閉部材１２の取付座面１２ｆに対してベース部材２２の取付位置を定めるロケートピンである。一対の第２ロケート部５６は幅方向に離間して設けられ、第１ロケート部５２は一対の第２ロケート部５６の間に配置される。第２ロケート部５６は、開閉部材１２のロケート孔１２ｄに挿入することでサブアッシーユニット１６を位置決めする。
【００３８】
一対のネジ受部５８は、幅方向に離間して形成され、ネジ部材２８を螺合可能な円筒状の孔を有する。一対の第２ロケート部５６は一対のネジ受部５８の間に位置する。
【００３９】
図６は、ロータ部材２４について説明するための図である。図６（ａ）はロータ部材２４の表側からみた斜視図であり、図６（ｂ）はロータ部材２４の裏側からみた斜視図であり、図６（ｃ）はロータ部材２４の側面図である。
【００４０】
ロータ部材２４は、円盤部６８、回動軸部７０、保持溝部７２、第１連結部７４ａ、第２連結部７４ｂ、当接部７６およびバネ受部７８を備える。ロータ部材２４は、操作部材２０の回動操作に応じて駆動される駆動部材に含まれる。
【００４１】
回動軸部７０は、円盤部６８の中央に垂直に立設される。回動軸部７０は、ベース部材２２の駆動用軸受部４８に挿入され、軸支される。保持溝部７２は、円盤部６８の外周に溝状に形成され、リング部材を保持する。
【００４２】
第１連結部７４ａおよび第２連結部７４ｂ（これらを区別しない場合、「連結部７４」という）は、第１ロック部材２６ａおよび第２ロック部材２６ｂにそれぞれ連結されて、ロータ部材２４の回転動作を伝達する。連結部７４は、円盤部６８の裏面に垂直に突出するように形成される。また、連結部７４は、円盤部６８の裏面の中心から離間して、円盤部６８上の径方向外側に対向するように形成される。
【００４３】
当接部７６は、円盤部６８の表面に突出するように形成される。当接部７６は、連通部５４を介して伝達部４２に当接可能にベース部材２２に組み付けられ、伝達部４２から操作部材２０の操作力が伝達される。バネ受部７８は、円盤部６８の表面に突出するように形成され、バネ部材の巻端部と当接する。
【００４４】
図７は、駆動部材２５の斜視図である。駆動部材２５は、ロータ部材２４、バネ部材３０およびリング部材３２を有する。コイル状のバネ部材３０は、回動軸部７０を挿入して配設され、リング部材３２は、環状の保持溝部７２に嵌合して保持される。
【００４５】
バネ部材３０の第１巻端部３０ａは、ロータ部材２４のバネ受部７８に当接し、第２巻端部３０ｂは、ベース部材２２のバネ受部６２に当接する。バネ部材３０は、ユーザがロック解除操作をした場合に、非ロック状態となったロック部材２６をロック状態にする方向にロータ部材２４を付勢する。
【００４６】
リング部材３２は、ゴム状のＯリングであり、円盤部６８の最外周に配設される。リング部材３２は、ロータ支持壁５０の内壁に接触して駆動部材２５の回転速度を緩和する。この駆動部材２５がベース部材２２に組み付けられる。
【００４７】
図８は、開閉部材１２に取り付ける前のロック装置１０のサブアッシーユニット１６について説明するための図である。図８（ａ）はサブアッシーユニット１６の裏側からみた斜視図であり、図８（ｂ）はサブアッシーユニット１６の側面図である。
【００４８】
サブアッシーユニット１６は、操作部材２０、ベース部材２２、駆動部材２５により構成される。回動軸孔３８と回動支持部４６との連結により、操作部材２０とベース部材２２が連結され、ロータ支持壁５０内に、図７で示した駆動部材２５が挿入され、ベース部材２２と駆動部材２５が連結される。
【００４９】
図７に示すロータ部材２４の回動軸部７０は、図５（ａ）に示すベース部材２２の駆動用軸受部４８に軸支される。回動軸部７０の先端部分が駆動用軸受部４８の縁に係合して駆動部材２５の抜け止めとなる。この一体化されたサブアッシーユニット１６が、開閉部材１２に取り付けられる。
【００５０】
図８（ｂ）に示す第２ロケート部５６と第１ロケート部５２の突出高さを比較すると、第１ロケート部５２が第２ロケート部５６よりも突出するように形成される。
【００５１】
図９は、開閉部材１２に取り付けた状態のロック装置１０を説明するための図である。図９（ａ）は図８（ａ）に示すサブアッシーユニット１６の線分Ａ−Ａの断面図であり、図９（ｂ）は図８（ｂ）に示すサブアッシーユニット１６の線分Ｂ−Ｂの断面図である。図９（ａ）および（ｂ）は、いずれも第２ロケート部５６を通る断面を示す。
【００５２】
サブアッシーユニット１６は、開閉部材１２の取付口１２ａに収まるように取り付けられる。図９（ｂ）に示すように、第１ロケート部５２は開口部１２ｃに挿入され、第２ロケート部５６はロケート孔１２ｄに挿入される。
【００５３】
ロータ部材２４の連結部７４は開口部１２ｃより裏側に突出して、ロック部材２６に連結される。図９（ｂ）に示すように、第２ロケート部５６は、ロック部材２６の動作を阻害しないように、ロケート孔１２ｄから取付座面１２ｆの裏側に出ないように取り付けられる。なお、第２ロケート部５６は、ロック部材２６に干渉しない限りにおいて、取付座面１２ｆの裏側から突出してもよい。
【００５４】
係止爪部６０は取付座面１２ｆに係止し、取付時にネジ部材２８で固定する前のサブアッシーユニット１６の仮止めとして機能する。係止爪部６０の係止により、サブアッシーユニット１６を取付座面１２ｆに仮止めすることで、作業者はネジ部材２８で固定する際にサブアッシーユニット１６から一度、手を離すことができ、容易なネジ止め作業を可能とする。
【００５５】
図９（ｂ）に示すように、第１ロケート部５２は、第２ロケート部５６より台座面５１の裏側に突出する。第１ロケート部５２の台座面５１からの突出高さは、第２ロケート部５６の台座面５１からの突出高さより高い。第１ロケート部５２は取付座面１２ｆよりも裏側に出る一方で、第２ロケート部５６は取付座面１２ｆの裏側に出ない。
【００５６】
図１０は、サブアッシーユニット１６の開閉部材１２への取付方法を説明するための図である。図１０（ａ）、図１０（ｂ）、図１０（ｃ）は、取付工程における開閉部材１２とサブアッシーユニット１６の断面を示し、図１０（ａ）は第１取付工程を示し、図１０（ｂ）は第２取付工程を示し、図１０（ｃ）は第３取付工程から第４取付工程を示す。なお、図１０（ａ）から図１０（ｃ）では、実施形態のロック装置１０の理解を容易にするため、図９（ｂ）に示すよりも開口部１２ｃの幅をあえて大きく示している。
【００５７】
図１０（ａ）に示す第１取付工程において、作業者はベース部材２２の中央側に位置する第１ロケート部５２をロケート孔１２ｄより大きい開口部１２ｃに狙いを定めて、サブアッシーユニット１６を開閉部材１２の取付座面１２ｆへ接近させる。
【００５８】
図１０（ｂ）に示す第２取付工程において、サブアッシーユニット１６をさらに取付座面１２ｆに接近させ、第１ロケート部５２が開口部１２ｃに挿入されて、開口部１２ｃの縁部１２ｇに当接または近接する。第１ロケート部５２を開口部１２ｃに挿入する工程には、まず、連結壁部５２ｂを開口部１２ｃに挿入して、幅方向のずれを制限する工程と、一対の対向壁部５２ａを開口部１２ｃに挿入して、第１ロケート部５２の回転を制限する工程が含まれる。
【００５９】
これにより、第２ロケート部５６とロケート孔１２ｄの相対的なずれ幅が制限される。第２ロケート部５６とロケート孔１２ｄの相対的なずれ幅とは、取付座面１２ｆと平行な２次元における第２ロケート部５６とロケート孔１２ｄの間隔である。
【００６０】
図１０（ｂ）において第２ロケート部５６は、ロケート孔１２ｄに挿入されていないが、ロケート孔１２ｄとの相対的なずれ幅が非常に小さい位置にある。このように、第１ロケート部５２が開口部１２ｃに挿入されて開口部１２ｃの縁部１２ｇに当接または近接することで、挿入前の第２ロケート部５６とロケート孔１２ｄの相対的なずれ幅を小さくして、第２ロケート部５６とロケート孔１２ｄへの挿入を容易にできる。
【００６１】
図１０（ｃ）に示す第３取付工程において、サブアッシーユニット１６をさらに取付座面１２ｆに押し込んで、第２ロケート部５６がロケート孔１２ｄに挿入される。第２取付工程において、第１ロケート部５２が開口部１２ｃに既に挿入されていることで、第２ロケート部５６とロケート孔１２ｄとが大まかに位置合わせされた状態にあり、作業者は、僅かな位置調整を行うだけで、第２ロケート部５６をロケート孔１２ｄに容易に挿入できる。このように突出高さの異なる２つのロケート部を取付座面１２ｆに形成された２つの開口部に順に挿入することで、サブアッシーユニット１６の動きを段階的に制限して、取付作業を容易にできる。作業者が第１ロケート部５２を開口部１２ｃに挿入した結果、第２ロケート部５６の動きが制限されるため、第２ロケート部５６がロケート孔１２ｄに誘導されることになる。
【００６２】
第１ロケート部５２の開口部１２ｃへの挿入後、第２ロケート部５６はロケート孔１２ｄに挿入されてロック装置１０の取付位置を定める。ロック装置１０の取付位置を定めることにより、ネジ受部５８とネジ孔１２ｅの位置が合わさる。
【００６３】
第３取付工程において、係止爪部６０の係止により、サブアッシーユニット１６を取付座面１２ｆに仮止めすることができる。これにより、作業者は次の取付工程でサブアッシーユニット１６から一度手を離して、ネジ部材２８で固定することができる。
【００６４】
次の第４取付工程では、ネジ部材２８がネジ孔１２ｅおよびネジ受部５８に挿入されて、サブアッシーユニット１６が取付座面１２ｆにガタツキなく固定される。その後、ロータ部材２４にロック部材２６を連結して、ロック装置１０の取り付けが完了する。
【００６５】
図１０（ｃ）に示す第１間隔ｔ１は、一対の対向壁部５２ａの外壁の幅方向の間隔であり、第２間隔ｔ２は、開口部１２ｃの一対の縁部１２ｇの幅方向の間隔である。また、第３間隔ｔ３は、第２ロケート部５６の直径であり、第４間隔ｔ４は、ロケート孔１２ｄの内径である。ロック装置１０および開閉部材１２は、下記の式１を満たすように設けられる。
（ｔ２−ｔ１）＞（ｔ４−ｔ３）  ・・・式１
【００６６】
これは、少なくとも幅方向において、第１ロケート部５２の開口部１２ｃに対するクリアランスが、第２ロケート部５６のロケート孔１２ｄに対するクリアランスより大きいことを表す。サブアッシーユニット１６の取付工程においては、まず最初にクリアランスが相対的に大きい第１ロケート部５２の開口部１２ｃへの挿入作業が行われ、これによりクリアランスが相対的に小さい第２ロケート部５６とロケート孔１２ｄとを大まかに位置合わせした後に、第２ロケート部５６のロケート孔１２ｄへの挿入作業が行われる。このように第２ロケート部５６をロケート孔１２ｄに容易に挿入することが可能となる。
【００６７】
第１ロケート部５２の開口部１２ｃ（第１開口部）への挿入は、第１段階の取付作業であり、第２ロケート部５６のロケート孔１２ｄ（第２開口部）への挿入は、第２段階の取付作業である。第１ロケート部５２を大きな孔である開口部１２ｃに挿入する作業は、小さなロケート孔１２ｄに小さなロケートピンを挿入する作業より、容易である。これにより、相対的に挿入が容易である第１段階の取付作業によって、第２段階の取付作業も容易になり、ロック装置１０の取付作業が容易になる。第１段階の取付作業により、第２ロケート部５６とロケート孔１２ｄの相対的なずれ幅を制限することで、第２段階の取付作業における第２ロケート部５６のロケート孔１２ｄへの挿入が、第１段階の取付作業より容易となる。
【００６８】
第２ロケート部５６を一対のロケートピンとすることで、ベース部材２２の回転を制限することができ、位置決めの精度を高めることができる。
【００６９】
第１ロケート部５２が一対の対向壁部５２ａを有することで、対向壁部５２ａの開口部１２ｃへの挿入時に、対向壁部５２ａの幅方向のずれ幅を制限しつつ、サブアッシーユニット１６の回転も制限できる。第１ロケート部５２が一対の対向壁部５２ａを連結する連結壁部５２ｂを有することで、ロータ部材２４を囲んで、取り付けの際にロータ部材２４が開口部１２ｃの縁部１２ｇなどに接触することを防ぎ、ロータ部材２４を保護することができる。
【００７０】
係止爪部６０は、第２ロケート部５６のロケート孔１２ｄへの挿入が完了したときに開口部１２ｃに係止する。つまり、第２ロケート部５６のロケート孔１２ｄへの挿入が完了する前に、係止爪部６０は開口部１２ｃに係止しない。さらには、第２ロケート部５６をロケート孔１２ｄに挿入中に、係止爪部６０は開口部１２ｃに係止しない。これにより、一対の係止爪部６０のうち一方のみ先に係止して、第２ロケート部５６のロケート孔１２ｄへの挿入の妨げとなることを抑える。
【００７１】
図１１は、第１変形例のロック装置について説明するための図である。図１１（ａ）は、開閉部材１２に取り付けた第１変形例のサブアッシーユニット１１６の裏面図を示し、図１１（ｂ）は第１変形例のサブアッシーユニット１１６の斜視図を示す。なお、図１１（ｂ）に示すサブアッシーユニット１１６は、操作部材２０を除いて示す。
【００７２】
図１１（ｂ）に示す第１変形例のベース部材１２２は、図８（ａ）に示すベース部材２２と比較して、壁状の第１ロケート部５２の代わりに棒状の第１ロケート部が形成されている点で異なる。
【００７３】
ベース部材１２２は、駆動部材２５を収容するロータ支持壁１５０と、駆動部材２５の周りに形成される第１ロケート部とを少なくとも有する。第１ロケート部は、棒状に形成され幅方向においてロータ支持壁１５０の少し外側に位置する棒状体１５２ａと、ロータ支持壁１５０の外周から径方向外向きに突出する一対の突起部１５２ｂとを有する。
【００７４】
一対の棒状体１５２ａおよび一対の突起部１５２ｂは、長方形または正方形の頂点に位置するように、ロータ支持壁１５０の周りに形成される。第１ロケート部は、第２ロケート部５６より台座面５１の裏側に突出する。
【００７５】
図１１（ａ）に示すように、第１ロケート部は、開口部１２ｃに当接または近接される。４つの突起として形成された第１ロケート部を矩形の頂点に配置することで、取り付ける際のサブアッシーユニット１１６の回転を制限することができる。第２変形例の第１ロケート部は、開閉部材１２に取り付ける際に、第２ロケート部５６のロケート孔１２ｄへの挿入より先に、開口部１２ｃの縁部１２ｇに当接または近接することで、第２ロケート部５６の挿入を容易にできる。これにより、ロック装置１０の取付作業を容易にできる。
【００７６】
図１２は、第２変形例のロック装置について説明するための図である。図１２（ａ）は、開閉部材２１２に取り付けた第２変形例のサブアッシーユニット２１６の裏面図を示し、図１２（ｂ）は第２変形例のサブアッシーユニット２１６の斜視図を示す。なお、図１２（ｂ）に示すサブアッシーユニット２１６は、操作部材２０を除いて示す。
【００７７】
図１２（ｂ）に示す第２変形例のベース部材２２２は、図８（ａ）に示すベース部材２２と比較して、第２ロケート部５６と、第１ロケート部５２が形成されていない点で異なる。また、図１２（ａ）に示す第２変形例の開閉部材１１２は、図３（ａ）に示す開閉部材１２と比べて、ロケート孔１２ｄが形成されていない点、開口部２１２ａが環状に形成される点が異なる。
【００７８】
図１２（ｂ）に示すように、ロケート部２５０は、台座面５１から立設し、円筒状に形成され、駆動部材２５を収容する。ロケート部２５０は、径方向外向きに突出する一対の突起部２５０ａを有する。ロケート部２５０は、ロータ部材２４の支持壁としても機能する。
【００７９】
図１２（ａ）に示すように、開閉部材２１２の取付口には、取付座面２１２ｃに環状に形成された開口部２１２ａと、開口部２１２ａの内周の一部を径方向外向きに切り欠くように形成された一対の切欠部２１２ｂが形成される。開口部２１２ａの内径は、ロケート部２５０の外径より大きいが、ほぼ同じ大きさに設定される。
【００８０】
開口部２１２ａにロケート部２５０が挿入され、ネジ部材２８によりサブアッシーユニット２１６が取付座面２１２ｃに固定される。開閉部材２１２に取り付ける際に、ロケート部２５０は開口部２１２ａに当接または近接されて、サブアッシーユニット２１６の取付位置を定める。
【００８１】
ロケート部２５０はロータ部材２４の周りに形成されて、取付作業中や取付完了後にロータ部材２４と開口部２１２ａの縁部との接触を防ぐ。一対の突起部２５０ａは、開口部２１２ａに形成された一対の切欠部２１２ｂに入り込んで、ネジ留めする前のサブアッシーユニット２１６の回転を制限することができる。第２変形例では、ロケート部２５０によってロータ部材２４の保護と、取付時の位置決めができる。
【００８２】
図１３は、第３変形例のロック装置について説明するための図である。図１３（ａ）は、開閉部材１２に取り付けた第３変形例のサブアッシーユニット３１６の裏面図を示し、図１３（ｂ）は第３変形例のサブアッシーユニット３１６の斜視図を示す。なお、図１３（ｂ）に示すサブアッシーユニット３１６は、操作部材２０を除いて示す。
【００８３】
図１３（ｂ）に示す第３変形例のベース部材３２２は、図８（ａ）に示すベース部材２２と比較して、第２ロケート部５６が形成されていない点で異なる。また、図１３（ａ）に示す第３変形例の開閉部材３１２は、図３（ａ）に示す開閉部材１２と比べて、ロケート孔１２ｄが形成されていない点で異なる。
【００８４】
図１３（ｂ）に示すように、ロケート部３５２は、台座面５１から立設し、ロータ部材２４の周りに形成される。ロケート部３５２の内側にはロータ支持壁５０が形成される。ロケート部３５２は、幅方向に対向する一対の対向壁部３５２ａと、対向壁部３５２ａを連結する連結壁部３５２ｂとを有する。
【００８５】
開口部３１２ａにロケート部３５２が挿入され、ネジ部材２８によりサブアッシーユニット３１６が取付座面３１２ｂに固定される。開閉部材３１２に取り付ける際に、ロケート部３５２は開口部３１２ａに当接または近接されて、サブアッシーユニット３１６の取付位置を定める。
【００８６】
ここで第３変形例では、開口部３１２ａの縁部の幅方向の間隔ｔ５と、一対の対向壁部３５２ａの外壁の幅方向の間隔ｔ６が非常に小さくなるように形成される。つまり、図１０（ｃ）に示す（ｔ２−ｔ１）のクリアランスより、（ｔ５−ｔ６）のクリアランスが小さくなるように形成される。第３変形例では、ロケート部３５２により、ロック装置の取付の位置決めをすることができる。
【００８７】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【００８８】
実施形態では、操作部材２０の操作力を受けてロック部材２６を駆動する駆動部材として、ロータ部材２４を用いる態様を示したが、この態様に限られない。例えば、ロータ部材２４の代わりに、操作部材２０の操作に応じて回動する歯車機構を用いてもよい。この歯車機構は、環状の第１ロケート部５２の間に位置して、ロック部材２６との連結部分が開口部１２ｃよりも内側に突出するように設けられる。
【００８９】
実施形態の第２ロケート部５６では、一対のロケートピンが形成される態様を示したが、この態様に限られない。ロケートピンは１つであってよく、３つ以上であってもよい。３つ以上のロケートピンを設ける態様においても、第１ロケート部５２は第２ロケート部５６の間に位置するように形成される。
【００９０】
実施形態の係止爪部６０は対向壁部５２ａに形成される態様を示したが、この態様に限られない。ベース部材２２に形成され、取付座面１２ｆの縁に係止する係止爪部であればよく、ベース部材２２の異なる位置に係止爪部を形成してよい。
【符号の説明】
【００９１】
１０  ロック装置、  １２  開閉部材、  １２ａ  取付口、  １２ｂ  窪み部、  １２ｃ  開口部、  １２ｄ  ロケート孔、  １２ｅ  ネジ孔、  １２ｆ  取付座面、  １２ｇ  縁部、  １４  固定部材、  １６  サブアッシーユニット、  ２０  操作部材、  ２２  ベース部材、  ２４  ロータ部材、  ２５  駆動部材、  ２６ａ  第１ロック部材、  ２６ｂ  第２ロック部材、  ２８  ネジ部材、  ３０  バネ部材、  ３２  リング部材、  ３８  回動軸孔、  ４０  操作面、  ４２  伝達部、  ４４  本体部、  ４６  回動支持部、  ４８  駆動用軸受部、  ５０  ロータ支持壁、  ５１  台座面、  ５２  第１ロケート部、  ５２ａ  対向壁部、  ５２ｂ  連結壁部、  ５４  連通部、  ５６  第２ロケート部、  ５８  ネジ受部、  ６０  係止爪部、  ６２  バネ受部、  ６４  回転規制部、  ６８  円盤部、  ７０  回動軸部、  ７２  保持溝部、  ７４ａ  第１連結部、  ７４ｂ  第２連結部、  ７６  当接部、  ７８  バネ受部、  ２５０  ロケート部。
【産業上の利用可能性】
【００９２】
本発明は、開閉部材に取り付けられるロック装置およびその取付方法に関する。
【図１】
2015122447.tif 000003
【図２】
2015122447.tif 000004
【図３】
2015122447.tif 000005
【図４】
2015122447.tif 000006
【図５】
2015122447.tif 000007
【図６】
2015122447.tif 000008
【図７】
2015122447.tif 000009
【図８】
2015122447.tif 000010
【図９】
2015122447.tif 000011
【図１０】
2015122447.tif 000012
【図１１】
2015122447.tif 000013
【図１２】
2015122447.tif 000014
【図１３】
2015122447.tif 000015
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
開閉部材に取り付けられ、ロック部材により前記開閉部材をロック状態に保持可能なロック装置であって、
前記開閉部材の取付座面に固定されるベース部材と、
前記ベース部材に回動可能に軸支され、前記取付座面に形成される開口部より裏側に突出して前記ロック部材に連結し、操作部材の操作に応じてロック部材を駆動する駆動部材と、を備え、
前記ベース部材は、
前記開口部の縁部に当接または近接される第１ロケート部と、
前記開閉部材に形成されたロケート孔に挿入される第２ロケート部と、を有し、
前記第１ロケート部は、前記第２ロケート部よりも裏側に突出することを特徴とするロック装置。
【請求項２】
前記第２ロケート部は、一対のロケートピンであって、
前記第１ロケート部は、一対の前記ロケートピンの間に形成されることを特徴とすることを特徴とする請求項１に記載のロック装置。
【請求項３】
前記第１ロケート部は、前記開口部に挿入され、
前記第１ロケート部の前記開口部の縁部に対するクリアランスは、前記第２ロケート部の前記ロケート孔に対するクリアランスより大きいことを特徴とする請求項１または２に記載のロック装置。
【請求項４】
前記第１ロケート部は、前記駆動部材の周りに形成されることを特徴とする請求項１から３のいずれかに記載のロック装置。
【請求項５】
前記第１ロケート部は、互いに対向する一対の対向壁部を有することを特徴とする請求項１から４のいずれかに記載のロック装置。
【請求項６】
前記第１ロケート部は、前記一対の対向壁部を連結する連結壁部を有することを特徴とする請求項５に記載のロック装置。
【請求項７】
前記ベース部材は、前記取付座面に係止する係止爪部を有することを特徴とする請求項１から６のいずれかに記載のロック装置。
【請求項８】
（削除）
【請求項９】
取付位置を定める第１ロケート部および第２ロケート部が形成されたロック装置を、第１開口部および第２開口部が形成された開閉部材に取り付けるロック装置の取付方法であって、
前記第１ロケート部を前記第１開口部に挿入して、前記第２ロケート部と前記第２開口部の相対的なずれ幅を制限するステップと、
前記第１ロケート部の前記第１開口部への挿入後、前記第２ロケート部を前記第２開口部に挿入して該ロック装置の取付位置を定めるステップと、
前記開閉部材に該ロック装置を固定するステップと、を含むことを特徴とするロック装置の取付方法。
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
開閉部材に取り付けられ、ロック部材により前記開閉部材をロック状態に保持可能なロック装置であって、
前記開閉部材の取付座面に固定されるベース部材と、
前記ベース部材に回動可能に軸支され、前記取付座面に形成される開口部より裏側に突出して前記ロック部材に連結し、操作部材の操作に応じてロック部材を駆動する駆動部材と、を備え、
前記ベース部材は、
前記開口部の縁部に当接または近接される第１ロケート部と、
前記開閉部材に形成されたロケート孔に挿入される第２ロケート部と、を有し、
前記第１ロケート部は、前記第２ロケート部よりも裏側に突出することを特徴とするロック装置。
【請求項２】
前記第２ロケート部は、一対のロケートピンであって、
前記第１ロケート部は、一対の前記ロケートピンの間に形成されることを特徴とすることを特徴とする請求項１に記載のロック装置。
【請求項３】
前記第１ロケート部は、前記開口部に挿入され、
前記第１ロケート部の前記開口部の縁部に対するクリアランスは、前記第２ロケート部の前記ロケート孔に対するクリアランスより大きいことを特徴とする請求項１または２に記載のロック装置。
【請求項４】
前記第１ロケート部は、前記駆動部材の周りに形成されることを特徴とする請求項１から３のいずれかに記載のロック装置。
【請求項５】
前記第１ロケート部は、互いに対向する一対の対向壁部を有することを特徴とする請求項１から４のいずれかに記載のロック装置。
【請求項６】
前記第１ロケート部は、前記一対の対向壁部を連結する連結壁部を有することを特徴とする請求項５に記載のロック装置。
【請求項７】
前記ベース部材は、前記取付座面に係止する係止爪部を有することを特徴とする請求項１から６のいずれかに記載のロック装置。
【請求項８】
取付位置を定める第１ロケート部および第２ロケート部が形成されたロック装置を、第１開口部および第２開口部が形成された開閉部材に取り付けるロック装置の取付方法であって、
前記第１ロケート部を前記第１開口部に挿入して、前記第２ロケート部と前記第２開口部の相対的なずれ幅を制限するステップと、
前記第１ロケート部の前記第１開口部への挿入後、前記第２ロケート部を前記第２開口部に挿入して該ロック装置の取付位置を定めるステップと、
前記開閉部材に該ロック装置を固定するステップと、を含むことを特徴とするロック装置の取付方法。
【国際調査報告】
2015122447.tif 000016
2015122447.tif 000017